(57)【要約】【課題】映像信号駆動回路が画面横方向に存在する表示装置において、額縁が小さく、かつ、画面中央における縦線状のノイズが生ずることを防止する。【解決手段】映像信号駆動回路３００からドライバ線１０が表示領域５００の上側と下側に配線される。ドライバ線１０からは、Ｒスイッチ５１、Ｇスイッチ４１、Ｂスイッチ３１を介してＲ，Ｇ，Ｂのドレイン線１１が分岐している。Ｒスイッチ５１はＲスイッチ線５０によって制御され、Ｇスイッチ４１はＧスイッチ線４０によって制御され、Ｂスイッチ３１はＢスイッチ線３０によって制御される。画面中央付近に映像信号を供給するドライバ線１０とＢスイッチ線３０との干渉を防止するために、前記ドライバ線１０とＢスイッチ線３０との間にシールド線６０を設置する。【選択図】図１
2009222764.tif 000002
【特許請求の範囲】
【請求項１】
表示領域の横方向に映像信号駆動回路が設置され、前記表示領域は、前記映像信号駆動回路に近い第１の表示領域と前記映像信号駆動回路から遠い第２の表示領域とに分かれた表示装置であって、
前記第１の表示領域には、前記表示領域の上側または下側の一方から、前記映像信号駆動回路と接続したドライバ線から映像信号が供給され、前記第２の表示領域には、前記表示領域の上側または下側の他方から前記映像信号駆動回路と接続したドライバ線から映像信号が供給され、
前記ドライバ線は、Ｒスイッチを介して前記表示領域の赤サブ画素に映像信号を供給するＲドレイン線、Ｇスイッチを介して緑サブ画素に映像信号を供給するＧドレイン線、Ｂスイッチを介して青サブ画素に映像信号を供給するＢドレイン線に分岐し、
前記Ｒスイッチ、Ｇスイッチ、Ｂスイッチは各々Ｒスイッチ線、Ｇスイッチ線、Ｂスイッチ線によって制御され、
前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかは隣接し、
前記隣接している、前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかの間にはシールド線が設置されていることを特徴とする表示装置
【請求項２】
前記隣接している、前記第１の表示領域と前記第２の表示領域の境界部分のＲドレイン線、Ｇドレイン線、Ｂドレイン線に映像信号を供給するドライバ線は前記第１の表示領域に映像信号を供給することを特徴とする請求項１に記載の表示装置。
【請求項３】
前記第１の表示領域と前記第２の表示領域とは、面積が等しいことを特徴とする請求項１に記載の表示装置。
【請求項４】
前記Ｒスイッチ、前記Ｇスイッチ、前記ＢスイッチはＴＦＴによって形成されていることを特徴とする請求項１に記載の表示装置。
【請求項５】
前記第１の表示領域と前記第２の表示領域との境界部分のＲドレイン線、Ｇドレイン線、Ｂドレイン線に映像信号を供給するドライバ線と隣接する前記Ｒスイッチ線、前記Ｇスイッチ線、前記Ｂスイッチ線のいずれかはＢスイッチ線であることを特徴とする請求項１に記載の表示装置。
【請求項６】
前記ドライバ線、前記シールド線、前記Ｒスイッチ線、前記Ｇスイッチ線、前記Ｂスイッチ線は同層で形成されていることを特徴とする請求項１に記載の表示装置。
【請求項７】
前記シールド線は、前記ドライバ線、前記Ｒスイッチ線、前記Ｇスイッチ線、および、前記Ｂスイッチ線よりも幅が大きいことを特徴とする請求項１に記載の表示装置。
【請求項８】
表示領域の横方向に映像信号駆動回路が設置された表示装置であって、
前記表示領域の上側には、前記映像信号駆動回路と接続して第１のドライバ線が配線され、前記表示領域の下側には、前記映像信号駆動回路と接続して第２のドライバ線が配線され、
前記第１のドライバ線は、第１のＲスイッチを介して赤サブ画素に映像信号を供給する第１のＲドレイン線、第１のＧスイッチを介して緑サブ画素に映像信号を供給する第１のＧドレイン線、第１のＢスイッチを介して青サブ画素に映像信号を供給する第１のＢドレイン線に分岐し、
前記第２のドライバ線は、第２のＲスイッチを介して赤サブ画素に映像信号を供給する第２のＲドレイン線、第２のＧスイッチを介して緑サブ画素に映像信号を供給する第２のＧドレイン線、第２のＢスイッチを介して青サブ画素に映像信号を供給する第２のＢドレイン線に分岐し、
前記第１のＲドレイン線と前記第１のＧドレイン線と前記第１のＢドレイン線のセットと、前記第２のＲドレイン線と前記第２のＧドレイン線と前記第２のＢドレイン線のセットは前記表示領域内で交互に存在することを特徴とする表示装置。
【請求項９】
前記ＲスイッチはＲスイッチ線によって制御され、前記ＧスイッチはＧスイッチ線によって制御され、前記ＢスイッチはＢスイッチ線によって制御され、前記表示領域の上側においても、前記表示領域の下側においても、前記Ｒスイッチ線、前記Ｒスイッチ線、前記Ｒスイッチ線、は前記ドライバ線よりも表示領域側に配線されていることを特徴とする請求項８に記載の表示装置。
【請求項１０】
前記Ｒスイッチ線、前記Ｇスイッチ線、前記Ｂスイッチ線のセットと、このセットに最も近接する前記ドライバ線との間には、シールド線が設置されていることを特徴とする請求項９に記載の表示装置。
【請求項１１】
前記Ｒスイッチ、前記Ｇスイッチ、前記ＢスイッチはＴＦＴによって形成されていることを特徴とする請求項８に記載の表示装置。
【請求項１２】
表示領域の横方向に映像信号駆動回路が設置され、前記表示領域は、前記映像信号駆動回路に近い第１の表示領域と前記映像信号駆動回路から遠い第２の表示領域とに分かれた表示装置であって、
前記第１の表示領域には、前記表示領域の上側または下側の一方から、前記映像信号駆動回路と接続したドライバ線から映像信号が供給され、前記第２の表示領域には、前記表示領域の上側または下側の他方から前記映像信号駆動回路と接続したドライバ線から映像信号が供給され、
前記ドライバ線は、Ｒスイッチを介して前記表示領域の赤サブ画素に映像信号を供給するＲドレイン線、Ｇスイッチを介して緑サブ画素に映像信号を供給するＧドレイン線、Ｂスイッチを介して青サブ画素に映像信号を供給するＢドレイン線に分岐し、
前記Ｒスイッチ、Ｇスイッチ、Ｂスイッチは各々Ｒスイッチ線、Ｇスイッチ線、Ｂスイッチ線によって制御され、
前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかは絶縁膜を介してオーバーラップし、
前記オーバーラップしている、前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかの間には絶縁膜を介してシールド線がオーバーラップしていることを特徴とする表示装置。
【請求項１３】
前記シールド線の幅は前記ドライバ線、前記Ｒスイッチ線、前記Ｇスイッチ線、および、前記Ｂスイッチ線よりも幅が広いことを特徴とする請求項１２に記載の表示装置。
【請求項１４】
前記表示装置は液晶表示装置であることを特徴とする請求項１乃至請求項１３のいずれかに記載の表示装置。
【請求項１５】
前記表示装置は有機ＥＬ表示装置であることを特徴とする請求項１乃至請求項１３のいずれかに記載の表示装置。
【発明の詳細な説明】
【技術分野】
【０００１】
本発明は表示装置に係り、外形サイズの割には表示面積が大きい、小型のフラットパネル表示装置に関する。
【背景技術】
【０００２】
液晶表示装置や有機ＥＬ表示装置はフラットで軽量であることから、色々な分野で用途が広がっている。携帯電話やＤＳＣ（Digital Still Camera）等には、小型の液晶表示装置や有機ＥＬ表示装置等が広く使用されている。これらの表示装置では、外形は出来るだけ小さくすることが要請されている。一方、表示領域は大きいほうが見やすい。したがって、外形が小型であるのに、表示領域が大きい表示装置が要求されている。
【０００３】
表示装置の周辺には、各画素に映像信号を送るための映像信号線（ドレイン線）の引出し線や、走査線の引出し線等が存在している。また、映像データをコントロールするためのクロック信号線等も配置されている場合が多い。表示領域を大きく、外形を小さくすると、表示領域周辺に設置されたドレイン線、走査線、クロック信号線等を設置するスペースが小さくなり、これらの線間の間隔が小さくなる。
【０００４】
これらの信号線の間隔が小さくなると、線間の容量が大きくなり、線間の干渉が生ずる。「特許文献１」あるいは、「特許文献２」には、クロック信号線とドレイン線との干渉を防止するために、これらの線間にシールド線を設置する構成が記載されている。
【０００５】
【特許文献１】特開平１１−２０２３６７号公報
【特許文献２】特開平１１−２２３８３２号公報
【発明の開示】
【発明が解決しようとする課題】
【０００６】
外形を小さく保ったまま表示領域を大きくすると、いわゆる額縁部分が小さくなる。額縁部分には、画素に映像信号を供給するための映像信号線が配置されるので、額縁部分が小さくなると、映像信号線の引出し線等の設置場所が不足する。
【０００７】
この問題を対策する方法として、画素のセットとなるＲＧＢの映像信号を供給する三本のドレイン線の引出し線を纏めて一本のドライバ線とし、表示領域直前において、分割スイッチを設置し、この分割スイッチの切り替えによって各ＲＧＢのサブ画素にドレイン線を介して映像信号を供給する技術が存在する。分割スイッチは、一般には薄膜トランジスタ（ＴＦＴ）によって形成され、各ドレイン線の入り口にドレイン線と同じ数設置される。
【０００８】
この構成においては、ドライバ線の数は、表示領域において必要なドレイン線の数の１／３となる。額縁部にはドライバ線が存在するので、信号線の数は従来に比して１／３となり、額縁の面積が小さくなっても必要な配線を行うことが出来る。しかし、この構成の場合、切り替えスイッチを切り替えるための、ＲＧＢ切り替えスイッチ線が必要となる。
【０００９】
携帯電話等では、映像信号駆動回路は表示領域下側に存在している。しかし、ＤＳＣ等では、その使用形態から、映像信号駆動回路を表示領域の横方向に設置する必要がある。この場合、ドライバ線とＲＧＢ切り替えスイッチ線とが長い距離にわたって並行して配設される場合がある。そうすると、ＲＧＢ切り替えスイッチ線とドライバ線との干渉が問題となる。
【００１０】
図７はこの問題を示す等価回路である。図７は、液晶表示パネルの配線である。図７において、表示領域５００には、多くの画素がマトリクス状に形成されている。各画素はＲＧＢの表示を行うサブ画素から構成されている。各サブ画素には、スイッチ用のＴＦＴが設置されている。
【００１１】
表示領域５００の左側には、走査信号駆動回路４００が設置されている。走査信号駆動回路４００からは、走査線２０が表示領域５００に延在している。走査線２０の数が表示領域５００の垂直方向の画素数に対応する。表示領域５００の右側には、映像信号駆動回路３００が設置されている。映像信号駆動回路３００からは、表示領域５００の上方あるいは下方にドライバ線１０が延在している。表示領域５００の左半分の画素には、表示領域５００の上側を通るドライバ線１０によって映像信号が供給され、表示領域５００の右半分の画素には、表示領域５００の下側を通るドライバ線１０によって映像信号が供給される。
【００１２】
また、映像信号駆動回路３００からは、ＲＧＢ切り替えスイッチのためのＲＧＢ切り替えスイッチ線３０、４０、５０がドライバ線１０と同様に、表示領域５００の上方あるいは下方に延在している。ＲＧＢ切り替えスイッチ線３０、４０、５０は、上方向にはＲＧＢ用に３本、下方向にもＲＧＢ用に３本延在している。
【００１３】
図７において、ＲＧＢ切り替えスイッチ線３０、４０、５０は表示領域５００の上方も、下方もドライバ線１０の外側に配置されている。３本のＲＧＢ切り替えスイッチ線３０、４０、５０は表示領域５００の上方も下方も、Ｂスイッチ線３０が内側で、次にＧスイッチ線４０、最外がＲスイッチ線５０となっている。したがって、Ｂスイッチ線３０と最外周のドライバ線１０との干渉が問題となる。
【００１４】
図７において、表示領域５００の上側においては、Ｂスイッチ線３０と、これに隣接するドライバ線Ｄ１との干渉が問題となり、表示領域５００の下側においては、Ｂスイッチ線３０と、これに隣接するドライバ線Ｄ３との干渉が問題となる。この干渉の状況を示す断面図が図８である。
【００１５】
図８において、ドライバ線１０（ドライバ線Ｄ１）もＲＧＢ切り替えスイッチ線３０、４０、５０（Ｂスイッチ線３０）も、ドレイン線１１と同じ層で形成されており、いずれも、層間絶縁膜１０６の上に形成されている。ドライバ線１０あるいは、ＲＧＢ切り替えスイッチ線（Ｒスイッチ線５０、Ｇスイッチ線４０、Ｂスイッチ線３０）は無機パッシベーション膜１０９と有機パッシベーション膜である平坦化膜１１０によって覆われている。
【００１６】
無機パッシベーション膜１０９も平坦化膜１１０も誘電率が大きいので、線間容量が形成される。したがって、お互いの信号が干渉しあうことになる。特に問題となる干渉は、Ｂスイッチ線３０における切り替え信号がドライバ線１０に対して影響を与えることである。
【００１７】
図７に戻り、表示領域５００上側におけるＢスイッチ線３０とドライバ線１０との干渉は、表示領域５００の左端の領域にのみ影響を与える。表示領域５００の端部における画像の変調は目立たないので、大きな問題にはならない。一方、表示領域５００の下側におけるＢスイッチ線３０とドライバ線１０との干渉は、表示領域５００中央部に対して影響を与えるために、大きな問題となる。
【００１８】
本発明は、映像信号駆動回路３００が表示領域５００の横方向に存在していて、ドライバ線１０を表示領域５００の上側と下側に配線する場合の、ドライバ線１０とＲＧＢ切り替えスイッチ線との干渉による問題を対策することである。
【課題を解決するための手段】
【００１９】
本発明は以上のような課題を解決するものであり、具体的な手段は次の通りである。
【００２０】
（１）表示領域の横方向に映像信号駆動回路が設置され、前記表示領域は、前記映像信号駆動回路に近い第１の表示領域と前記映像信号駆動回路から遠い第２の表示領域とに分かれた表示装置であって、前記第１の表示領域には、前記表示領域の上側または下側の一方から、前記映像信号駆動回路と接続したドライバ線から映像信号が供給され、前記第２の表示領域には、前記表示領域の上側または下側の他方から前記映像信号駆動回路と接続したドライバ線から映像信号が供給され、前記ドライバ線は、Ｒスイッチを介して前記表示領域の赤サブ画素に映像信号を供給するＲドレイン線、Ｇスイッチを介して緑サブ画素に映像信号を供給するＧドレイン線、Ｂスイッチを介して青サブ画素に映像信号を供給するＢドレイン線に分岐し、前記Ｒスイッチ、Ｇスイッチ、Ｂスイッチは各々Ｒスイッチ線、Ｇスイッチ線、Ｂスイッチ線によって制御され、
前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかは隣接し、前記隣接している、前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかの間にはシールド線が設置されていることを特徴とする表示装置。
【００２１】
（２）前記隣接している、前記第１の表示領域と前記第２の表示領域の境界部分のＲドレイン線、Ｇドレイン線、Ｂドレイン線に映像信号を供給するドライバ線は前記第１の表示領域に映像信号を供給することを特徴とする（１）に記載の表示装置。
【００２２】
（３）前記第１の表示領域と前記第２の表示領域とは、面積が等しいことを特徴とする（１）に記載の表示装置。
【００２３】
（４）前記Ｒスイッチ、前記Ｇスイッチ、前記ＢスイッチはＴＦＴによって形成されていることを特徴とする（１）に記載の表示装置。
【００２４】
（５）前記第１の表示領域と前記第２の表示領域との境界部分のＲドレイン線、Ｇドレイン線、Ｂドレイン線に映像信号を供給するドライバ線と隣接する前記Ｒスイッチ線、前記Ｇスイッチ線、前記Ｂスイッチ線のいずれかはＢスイッチ線であることを特徴とする（１）に記載の表示装置。
【００２５】
（６）前記ドライバ線、前記シールド線、前記Ｒスイッチ線、前記Ｇスイッチ線、前記Ｂスイッチ線は同層で形成されていることを特徴とする（１）に記載の表示装置。
【００２６】
（７）前記シールド線は、前記ドライバ線、前記Ｒスイッチ線、前記Ｇスイッチ線、および、前記Ｂスイッチ線よりも幅が大きいことを特徴とする（１）に記載の表示装置。
【００２７】
（８）表示領域の横方向に映像信号駆動回路が設置された表示装置であって、前記表示領域の上側には、前記映像信号駆動回路と接続して第１のドライバ線が配線され、前記表示領域の下側には、前記映像信号駆動回路と接続して第２のドライバ線が配線され、前記第１のドライバ線は、第１のＲスイッチを介して赤サブ画素に映像信号を供給する第１のＲドレイン線、第１のＧスイッチを介して緑サブ画素に映像信号を供給する第１のＧドレイン線、第１のＢスイッチを介して青サブ画素に映像信号を供給する第１のＢドレイン線に分岐し、
前記第２のドライバ線は、第２のＲスイッチを介して赤サブ画素に映像信号を供給する第２のＲドレイン線、第２のＧスイッチを介して緑サブ画素に映像信号を供給する第２のＧドレイン線、第２のＢスイッチを介して青サブ画素に映像信号を供給する第２のＢドレイン線に分岐し、前記第１のＲドレイン線と前記第１のＧドレイン線と前記第１のＢドレイン線のセットと、前記第２のＲドレイン線と前記第２のＧドレイン線と前記第２のＢドレイン線のセットは前記表示領域内で交互に存在することを特徴とする表示装置。
【００２８】
（９）前記ＲスイッチはＲスイッチ線によって制御され、前記ＧスイッチはＧスイッチ線によって制御され、前記ＢスイッチはＢスイッチ線によって制御され、前記表示領域の上側においても、前記表示領域の下側においても、前記Ｒスイッチ線、前記Ｒスイッチ線、前記Ｒスイッチ線、は前記ドライバ線よりも表示領域側に配線されていることを特徴とする（８）に記載の表示装置。
【００２９】
（１０）前記Ｒスイッチ線、前記Ｇスイッチ線、前記Ｂスイッチ線のセットと、このセットに最も近接する前記ドライバ線との間には、シールド線が設置されていることを特徴とする（９）に記載の表示装置。
【００３０】
（１１）前記Ｒスイッチ、前記Ｇスイッチ、前記ＢスイッチはＴＦＴによって形成されていることを特徴とする（８）に記載の表示装置。
【００３１】
（１２）表示領域の横方向に映像信号駆動回路が設置され、前記表示領域は、前記映像信号駆動回路に近い第１の表示領域と前記映像信号駆動回路から遠い第２の表示領域とに分かれた表示装置であって、前記第１の表示領域には、前記表示領域の上側または下側の一方から、前記映像信号駆動回路と接続したドライバ線から映像信号が供給され、前記第２の表示領域には、前記表示領域の上側または下側の他方から前記映像信号駆動回路と接続したドライバ線から映像信号が供給され、前記ドライバ線は、Ｒスイッチを介して前記表示領域の赤サブ画素に映像信号を供給するＲドレイン線、Ｇスイッチを介して緑サブ画素に映像信号を供給するＧドレイン線、Ｂスイッチを介して青サブ画素に映像信号を供給するＢドレイン線に分岐し、
前記Ｒスイッチ、Ｇスイッチ、Ｂスイッチは各々Ｒスイッチ線、Ｇスイッチ線、Ｂスイッチ線によって制御され、前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかは絶縁膜を介してオーバーラップし、前記オーバーラップしている、前記第１の表示領域と前記第２の表示領域の境界部分のＲドレイン線、Ｇドレイン線、Ｂドレイン線に映像信号を供給するドライバ線と、前記Ｒスイッチ線、前記Ｇスイッチ線、前記Ｂスイッチ線のいずれかの間には絶縁膜を介してシールド線がオーバーラップしていることを特徴とする表示装置。
【００３２】
（１３）前記シールド線の幅は前記ドライバ線、前記Ｒスイッチ線、前記Ｇスイッチ線、および、前記Ｂスイッチ線よりも幅が広いことを特徴とする（１２）に記載の表示装置。
【００３３】
（１４）前記表示装置は液晶表示装置であることを特徴とする（１）乃至（１３）のいずれかに記載の表示装置。
【００３４】
（１５）前記表示装置は有機ＥＬ表示装置であることを特徴とする（１）乃至（１３）のいずれかに記載の表示装置。
【発明の効果】
【００３５】
本発明によれば、画面中央部に映像信号を供給するドライバ線と画素切り替えのためのスイッチ線との間にシールドを設けるので、画面中央における縦線状のノイズを防止することが出来る。
【００３６】
本発明の他の面によれば、サブ画素に映像信号を供給するＲドレイン線とＧドレイン線とＢドレイン線のセットに対する映像信号を、表示領域の上側と下側とから、交互にドライバ線から供給するので、ドライバ線と画素切り替えのためのスイッチ線との干渉を小さく抑え、かつ、影響する領域を画面の端部のみに限定できるので、画質の低下を防止することが出来る。
【発明を実施するための最良の形態】
【００３７】
本発明は、液晶表示装置、有機ＥＬ表示装置等のフラットパネルディスプレイに適用することが出来る。いずれも、各サブ画素におけるスイッチをＴＦＴによって形成し、また、ＲＧＢ切り替えスイッチもＴＦＴによって形成することが出来るからである。また、これらの表示装置では、駆動回路の一部あるいは、全部をＴＦＴで形成することもある。
【００３８】
画素スイッチのみでなく、ＲＧＢ切り替えスイッチ（Ｒスイッチ５１、Ｇスイッチ４１、Ｂスイッチ３１）、あるいは、駆動回路をＴＦＴで形成する場合は、いわゆるＬＴＰＳ（低温多結晶シリコン）タイプのＴＦＴが使用される。図３は、本発明が適用される、ＬＴＰＳタイプのＴＦＴを用いた液晶表示パネルの断面構造である。図３において、ＴＦＴ基板１００の上にはＳｉＮで形成される第１下地膜１０１がコートされ、第１下地膜１０１の上には例えばシリコン酸化膜で形成される第２下地膜１０２がコートされている。第１下地膜１０１の膜厚は１５０ｎｍで、第２下地膜１０２の膜厚は１００ｎｍである。いずれも、下地であるガラス基板から不純物が析出し、半導体膜１０３を汚染することを防止するためである。
【００３９】
第２下地膜１０２の上には半導体膜１０３が形成されている。この半導体膜１０３は、当初ａ−Ｓｉ膜であったものをレーザアニールによってｐｏｌｙ−Ｓｉ膜に変換している。半導体膜１０３を覆ってゲート絶縁膜１０４がＳｉＯ２によって約３００ｎｍの厚さに形成され、ゲート絶縁膜１０４の上に、ゲート電極１０５が形成されている。なお、半導体膜１０３は、複数の領域に分かれている。ゲート電極１０５の直下は、チャンネル領域である。図３の半導体膜１０３の左端にはドレイン領域１０３２が、右端には、ソース領域１０３１が形成されている。ドレイン領域１０３２およびソース領域１０３１は、半導体膜１０３に対して、ゲート電極１０５をマスクにして不純物をドープすることによって形成される。ソース領域１０３１とドレイン領域１０３２との間には、不純物を軽くドープし、導電率がソース領域１０３１あるいはドレイン領域１０３２よりも小さいＬＤＤ（Ｌｉｇｈｔｌｙ  Ｄｏｐｅｄ  Ｄｒａｉｎ）領域１０３３が形成されている。
【００４０】
ゲート電極１０５を覆って、層間絶縁膜１０６がＳｉＮによって約３００ｎｍの厚さに形成されている。層間絶縁膜１０６の上には、ドレイン電極１０７とソース電極１０８が形成されている。ドレイン電極１０７およびソース電極１０８は、ドレイン線１１と同層で形成されている。また、後に述べる本発明の特徴であるシールド線６０もドレイン電極１０７およびソース電極１０８と同層で形成されている。ドレイン電極１０７はドレイン線１１と、ソース電極１０８は画素電極１１１と導通している。
【００４１】
層間絶縁膜１０６にはスルーホールが形成され、ドレイン電極１０７は半導体膜１０３のドレイン領域１０３２と、ソース電極１０８は半導体膜１０３のソース領域１０３１と導通している。ソース電極１０８およびドレイン電極１０７の上には、ＴＦＴ全体を保護するための無機パッシベーション膜１０９がＳｉＮによって約３００ｎｍの厚さに被着されている。さらに、無機パッシベーション膜１０９の上には、樹脂による平坦化膜１１０が形成されている。平坦化膜１１０は一般には、アクリル樹脂によって形成されている。平坦化膜１１０はその目的から比較的厚く、１μｍから２μｍ程度の厚さで形成されている。平坦化膜１１０は有機パッシベーション膜としての役割も有する。
【００４２】
平坦化膜１１０の上には、画素電極１１１が形成されている。画素電極１１１は、無機パッシベーション膜１０９および平坦化膜１１０に形成されたスルーホールを介してソース電極１０８と導通している。画素電極１１１を覆って液晶を配向させるための配向膜１１２が形成されている。液晶層１１３は、ＴＦＴ基板１００と対向基板２００との間に挟持されている。
【００４３】
対向基板２００には、カラーフィルタ２０１と遮光膜２０２が形成されている。遮光膜２０２は画像形成に寄与しない領域を黒色膜で覆うものであり、画像のコントラストを向上させる役割を有する。カラーフィルタ２０１および遮光膜２０２を覆って表面を平坦化するためのオーバーコート膜２０３が形成され、オーバーコート膜２０３の上に対向電極２０４が形成される。対向電極２０４を覆って液晶を配向させるための配向膜１１２が形成される。
【００４４】
図３の液晶表示装置は、いわゆるＴＮ方式の液晶駆動方式であるが、これは一例である。本発明はＴＮ方式に限らず、液晶を基板の面と平行方向に回転させるＩＰＳ方式、あるいは、液晶の初期配向が垂直方向を向いているＶＡ方式等の液晶表示装置についても適用することが出来る。
【００４５】
本発明は、液晶表示装置のみでなく、例えば、有機ＥＬ表示装置についても適用することが出来る。図４はいわゆるトップエミッション型の有機ＥＬ表示装置の断面図である。図４において、ＴＦＴ基板１００の上に、ＬＴＰＳタイプのＴＦＴが形成されている。ＴＦＴを覆う、無機パッシベーション膜１０９および平坦化膜１１０までの構造は、図３で説明した液晶表示装置の場合と同様であるので説明を省略する。
【００４６】
図４において、平坦化膜１１０の上には、下部電極１２０が形成されている。下部電極１２０は、有機ＥＬ層１２１からの発光を上方に反射するために、反射率の高いＡｌ等の金属膜によって形成されている。下部電極１２０の上には、発光をする有機ＥＬ層１２１が形成されている。有機ＥＬ層１２１は、電極構造にもよるが、下部電極１２０側が陽極となる場合は、下部電極１２０側から、順にホール注入層、ホール輸送層、発光層、電子輸送層、電子注入層のように複数の層で構成される。
【００４７】
有機ＥＬ層１２１の上には、透明電極である上部電極１２２が形成されている。図４はトップエミッションタイプの有機ＥＬ表示装置であるから、上部電極１２２は透明である必要がある。上部電極１２２としては、透明導電膜である、ＩＴＯ、あるいは、ＡＺＯ等が使用される。また、極薄い金属薄膜が使用される場合もある。
【００４８】
以上が有機ＥＬ表示装置の有機ＥＬ層１２１が形成されたＴＦＴ基板１００の構成である。有機ＥＬ層１２１は水分によって発光特性が劣化する。したがって、有機ＥＬ層１２１を水分から保護する必要がある。このために、外部の雰囲気と気密を保つために、透明な封止基板１３０が、ＴＦＴ基板１００と僅かな間隔を隔てて、対向して設置される。封止基板１３０の内側に透明な乾燥材が設置される場合もある。
【００４９】
トップエミッションにおいては、有機ＥＬ層１２１からの発光は、図４における矢印の方向に出射する。トップエミッションタイプの利点は、ＴＦＴが形成された領域の上にも有機ＥＬ層１２１を設置して発光させ、画像の形成に寄与させることが出来る点である。したがって、トップエミッションタイプの有機ＥＬ表示装置は画面の明るさを大きくすることが出来る。ただし、本発明は、トップエミッションタイプの有機ＥＬ表示装置のみでなく、有機ＥＬ層１２１からの発光をＴＦＴ基板１００側から取り出す、ボトムエミッションタイプの有機ＥＬ表示装置にも使用することも出来る。トップエミッションタイプもボトムエミッションタイプも図４における平坦化膜１１０までは同様の構成である。
【００５０】
以下の実施例では、液晶表示装置を例にとって説明するが、有機ＥＬ表示装置についても同様に適用できる。
【実施例１】
【００５１】
図１は、本発明の第１の実施例を示す液晶表示装置のＴＦＴ基板１００側の回路図である。図１において、表示領域５００内には、ＲＧＢの映像信号用のドレイン線１１が縦方向に延在し、横方向に配列している。図１においては、図を複雑化しないために、走査線２０は省略されている。実際には、図７に示したように、ドレイン線１１と走査線２０とで囲まれた領域がサブ画素となり、サブ画素内には、ＴＦＴと画素電極が形成されている。
【００５２】
図１の表示領域５００の右側には、映像信号駆動回路３００が設置されている。映像信号駆動回路３００からは、ドライバ線１０が表示領域５００の上側と下側に配線されている。上側ドライバ線１０は表示領域５００の左側の領域の映像信号を受け持ち、下側のドライバ線１０は表示領域５００の右側の領域の映像信号を受け持つ。
【００５３】
表示領域５００の上側あるいは下側において、一本のドライバ線１０から、3個のＲＧＢ切り替えスイッチを介して、3本のドレイン線１１が分岐している。すなわち、ＲＧＢの3本のドレイン線１１は、ドライバ線１０から時分割で映像信号の供給を受ける。したがって、表示領域５００の上側、下側、および、右側において、映像信号駆動回路３００にドレイン線１１を直接接続する場合に比較して、配線のためのスペースは１／３で済む。それだけ、額縁の領域を小さくすることが出来る。
【００５４】
図１において、ＲＧＢ切り替えスイッチを切り替えるために、ＲＧＢ切り替えスイッチ線３０、４０、５０が映像信号駆動回路３００から配線されている。Ｒスイッチ５１の制御をＲスイッチ線５０が、Ｇスイッチ４１の制御をＧスイッチ線４０が、Ｂスイッチ３１の制御をＢスイッチ線３０が行う。Ｒスイッチ線５０、Ｇスイッチ線４０、Ｂスイッチ線３０が表示領域５００の上側、下側に各々存在している。
【００５５】
図１において、表示領域５００の上側においても、表示領域５００の下側においても、Ｂスイッチ線３０と最外側のドライバ線１０とが隣接している。表示領域５００の上側においては、最外側のドライバ線Ｄ１とＢスイッチ線３０とが隣接し、表示領域５００の下側においては、最外側のドライバ線Ｄ３とＢスイッチ線３０とが隣接している。そうすると、最外側のドライバ線Ｄ１あるいは、Ｄ３とＢスイッチ線３０との間で干渉が生じ、ドライバ線１０を通過する映像信号が変調される。しかも、両者は表示領域５００の中央付近まで比較的長い距離を並走しているので、その影響も大きい。一方、表示領域５００の上側におけるＤ２で代表される他のドライバ線１０、あるいは、表示領域５００の下側におけるＤ４で代表される他のドライバ線１０はＢスイッチ線３０と距離が離れているために、Ｂスイッチ線３０の影響を受けない。
【００５６】
Ｂスイッチ線３０の影響を受けるドライバ線Ｄ１およびドライバ線Ｄ３の内、表示領域５００の上側のドライバ線Ｄ１の受け持つドレイン線１１は、表示領域５００の最左端である。表示領域５００の端部は、一般には、人間の目には目立たない。したがって、映像信号が切り替えスイッチ信号等によって変調されても、大きな問題にはならない。
【００５７】
一方、表示領域５００下側に配線されるドライバ線Ｄ３は表示領域５００の中央のドレイン線１１に対して映像信号を供給する。ドライバ線Ｄ３はＢスイッチ線３０と隣接しており、Ｂスイッチ３１を切り換えるための切り替え信号によって影響を受ける。図１において、ドライバ線Ｄ３から映像信号の供給を受けるドレイン線１１の左側には、表示領域５００上側のドライバ線Ｄ２から映像信号の供給を受けるドレイン線１１が存在している。
【００５８】
ドライバ線Ｄ２はＢスイッチ線３０から離れているので、切り替え信号によるノイズを受けることは無い。そうすると、ドライバ線Ｄ３からの映像信号の供給を受けるドレイン線１１のみに対して、Ｂスイッチ線３０からの切り替え信号のノイズが重畳することになるので、表示領域５００の中央に縦線状のノイズが生ずることになり、影響が非常に大きい。したがって、図１におけるドライバ線Ｄ３に対するＢスイッチ線３０の影響を対策する必要がある。
【００５９】
本実施例では、図１に示すように、表示領域５００の下側において、Ｂスイッチ線３０と、それに最も近接する最外側のドライバ線Ｄ３との間にシールド線６０を配線して、Ｂスイッチ線３０とドライバ線Ｄ３との干渉を防止している。図２は図１のＡ−Ａ'断面であり、シールド線６０付近の断面図を示している。
【００６０】
図２において、ＴＦＴ基板１００上に、第１下地膜１０１、第２下地膜１０２、ゲート絶縁膜１０４、層間絶縁膜１０６が積層されている。層間絶縁膜１０６の上には、ドライバ線１０、Ｂスイッチ線３０、シールド線６０が配線されている。図２に示すように、本実施例では、ドライバ線１０、Ｂスイッチ線３０、シールド線６０は同層で形成されている。
【００６１】
ドライバ線１０、Ｂスイッチ線３０、シールド線６０を覆って無機パッシベーション膜１０９が形成され、その上に平坦化膜１１０が形成されている。図２において、ドライバ線１０の線幅Ｌｄは３．５μｍ、Ｂスイッチ線３０の線幅Ｌｂは１０μｍ、シールド線６０の線幅Ｌｓｄは４０μｍ、シールド線６０とドライバ線１０の間隔Ｌ２は５μｍ、シールド線６０とＢスイッチ線３０の間隔Ｌ３は５μｍである。また、ドライバ線１０とＢスイッチ線３０との間隔Ｌ１は５０μｍである。
【００６２】
図２のような配置においては、ドライバ線１０とＢスイッチ線３０とのカップリング容量は、０．１ｐＦ程度となり、シールド線６０が無い従来の構成に比較して、カップリング容量は１／１０程度に激減する。このような構成とすることによって、ドライバ線Ｄ３に対するＢスイッチ線３０の影響を低減することが出来、表示領域５００の中央に生じていた縦線を防止することが出来る。
【００６３】
以上の説明では、Ｂスイッチ線３０と最外側のドライバ線１０の干渉が問題であるとして説明した。これは、図１においては、Ｂスイッチ線３０がドライバ線１０に最も近くなるからである。しかし、ＲＧＢ切り替えスイッチ線の配置によっては、Ｇスイッチ線４０あるいはＲスイッチ線５０がドライバ線１０に最も近くなる。この場合も上述したと同様、Ｇスイッチ線４０あるいはＲスイッチ線５０と、最外のドライバ線１０との間にシールド線６０を配置することによって、表示領域５００中央の縦線を対策することが出来る。
【実施例２】
【００６４】
図５は本発明の第２の実施例である。図５は液晶表示パネルの回路図であるが、走査線、走査信号駆動回路等は省略されている。実施例１では、表示領域５００を左右に半々に分け、表示領域５００の左半分に対して表示領域５００の上側に配線されたドライバ線１０によって映像信号を供給し、表示領域５００の右半分に対して表示領域５００の下側に配線されたドライバ線１０によって映像信号を供給している。そして、表示領域５００の中央に発生する縦線ノイズに対しては、Ｂスイッチ線３０と最外側のドライバ線１０との間にシールド線６０を設置することによって対策している。
【００６５】
本実施例は、表示領域５００のドレイン線１１へ映像信号を供給するドライバ線１０の配線方法を実施例１とは異なる配線方法とすることによって、表示領域５００中央における縦線を対策する。図５において、表示領域５００の右側に映像信号駆動回路３００が設置されている。表示領域５００には縦方向にＲＧＢのドレイン線１１が延在している。ＲＧＢの各ドレイン線１１は、１本のドライバ線１０から、ＲＧＢ切り替えスイッチを介して映像信号の供給を受ける。
【００６６】
実施例１と異なる点は、ＲＧＢセットの各３本のドレイン線１１には、上側のドライバ線１０と下側のドライバ線１０とから交互に映像信号を供給するという点である。図５において、表示領域５００の最右側のＲ、Ｇ、Ｂドレイン線であるＲ４、Ｇ４、Ｂ４は下側に配線されているドライバ線Ｄ４から映像信号の供給を受ける。次のＲ、Ｇ、Ｂドレイン線であるＲ２、Ｇ２、Ｂ２は表示領域５００の上側に配線されているドライバ線Ｄ２から映像信号の供給を受ける。
【００６７】
図５において、映像信号駆動回路３００から延在するＲスイッチ線５０、Ｇスイッチ線４０、Ｂスイッチ線３０は、表示領域５００の上側においても、下側においても、ドライバ線１０よりも内側に配線されている。これによって、Ｒスイッチ線５０、Ｇスイッチ線４０、Ｂスイッチ線３０を図１のように折り返す必要がなくなるので、狭額縁化が図れる。また、ドライバ線１０との間の並走距離を短くすることができる。
【００６８】
図５において、ＲＧＢ切り替えスイッチ線のうち、Ｂスイッチ線３０が最もドライバ線１０に近い。そして、表示領域５００の上側においては、Ｂスイッチ線３０には、ドライバ線Ｄ２が最も近く、表示領域５００の下側においては、ドライバ線Ｄ４が最もＢスイッチ線３０に近い。すなわち、切り替えスイッチ線による影響を受けるのは、Ｄ２あるいはＤ４から供給される映像信号である。
【００６９】
図５に示すように、Ｂスイッチ線３０とドライバ線Ｄ４あるいは、ドライバ線Ｄ２との並走している距離は、図１におけるドライバ線Ｄ３とＢスイッチ線３０とが並走している距離よりもはるかに小さい。したがって、映像信号が切り替えスイッチ信号によって変調されたとしても、その影響は小さい。また、図５に示す、ドライバ線Ｄ４から映像信号の供給を受けるドレイン線Ｒ４、Ｇ４、Ｂ４、あるいは、ドライバ線Ｄ２から映像信号の供給を受けるドレイン線Ｒ２、Ｇ２、Ｂ２は、表示領域５００の右端に位置しており、映像信号が切り替えスイッチ信号によって変調されたとしても、表示領域５００の端部であるため観察者には目立ちにくく、その影響は小さい。
【００７０】
一方、表示領域５００の最左側のドレイン線Ｒ１、Ｇ１，Ｂ１は上側のドライバ線Ｄ１から映像信号の供給を受けるが、ドライバ線Ｄ１は、Ｂスイッチ線３０から離れているので、映像信号が切り替え信号によって影響を受けることは無い。また、表示領域５００左側のドレイン線Ｒ３、Ｇ３，Ｂ３は下側のドライバ線Ｄ３から映像信号の供給を受けるが、ドライバ線Ｄ３は、Ｂスイッチ線３０から離れているので、映像信号が切り替え信号によって影響を受けることは無い。
【００７１】
以上では、表示領域５００の右端あるいは、左端のみについて説明を行ったが、表示領域５００中央部においても、ドライバ線１０とＢスイッチ線３０とは距離が離れているので、映像信号が切り替えスイッチ信号によって影響を受けることは無い。このように、本実施例によれば、Ｂスイッチ線３０と最も近いドライバ線Ｄ２あるいはドライバ線Ｄ４との並走距離を小さくすることが出来るので、切り替えスイッチ信号と映像信号との干渉を最小限に抑えることが出来る。また、切り替えスイッチ信号と映像信号との干渉が多少残ったとしても、その場所は、表示領域５００の周辺であり、目立たないので実質的な影響は無い。
【００７２】
本実施例においても、Ｂスイッチ線３０と最外側のドライバ線１０の干渉が問題であるとして説明した。しかし、ＲＧＢ切り替えスイッチ線の配置によっては、Ｇスイッチ線４０あるいはＲスイッチ線５０がドライバ線１０に最も近くなる。しかしながら、この場合でも、同様の効果を走することができる。
【００７３】
また、本実施例において、実施例１で説明したようなシールド線６０をさらに追加しても良い。この場合、Ｒスイッチ線５０、Ｇスイッチ線４０、Ｂスイッチ線３０のセットと、このセットに最も近接するドライバ線１０との間に、シールド線６０を設置すればよい。
【実施例３】
【００７４】
図６は本発明の第３の実施例を示す断面図である。本実施例が適用される液晶表示装置のＴＦＴ基板１００上の回路図は図１と同じである。図１において、Ｂスイッチ線３０とドライバ線Ｄ３との間の干渉を防止して、表示領域５００の中央における縦線を防止するために、Ｂスイッチ線３０とドライバ線Ｄ３との間にシールド線６０を配線している。このシールド線６０は図２に示すように、幅Ｌｓｄは４０μｍ程度と大きい。また、シールド線６０の両側にもスペースＬ２、Ｌ３を設けなければならない。したがって、額縁が大きくなる。
【００７５】
図６は、本実施例での、図１におけるＡ−Ａ'断面に対応する断面図である。図６において、ＴＦＴ基板１００の上には、第１下地膜１０１、第２下地膜１０２、ゲート絶縁膜１０４、層間絶縁膜１０６が積層されている。層間絶縁膜１０６の上には、ドライバ線１０が設置されている。ドライバ線１０はドレイン線１１と同層で形成されている。本実施例においては、実施例１等とは異なり、ＲＧＢ切り替えスイッチ線（Ｒスイッチ線５０、Ｇスイッチ線４０、Ｂスイッチ線３０）およびシールド線６０はドレイン線１１とは別な層で形成されている。
【００７６】
図６において、ドライバ線１０の上には、第１無機パッシベーション膜１０９１がＳｉＮによって形成されている。第１無機パッシベーション膜１０９１の上に、シールド線６０が形成されている。シールド線６０は、少なくとも最外側のドライバ線１０、すなわち、図１におけるドライバ線Ｄ３はカバーしている。シールド線６０の上に第２無機パッシベーション膜１０９２がＳｉＮによって形成されている。そして、第２無機パッシベーション膜１０９２の上に、Ｂスイッチ線３０が形成されている。
【００７７】
Ｂスイッチ線３０を覆って第３無機パッシベーション膜１０９３がＳｉＮによって形成され、その上に平坦化膜１１０が形成される。なお、ＴＦＴを保護するためのパッシベーション膜としては、すでに第１パッシベーション膜、第２パッシベーション膜が存在しているので、第３無機パッシベーション膜１０９３はかならずしも必要ではない。ただし、平坦化膜１１０の焼成時のＢスイッチ線３０の酸化を防止するためには必要な場合もある。
【００７８】
図６のように、Ｂスイッチ線３０とドライバ線１０とは、平面的には重複している。したがって、平面的な配線スペースは実施例１等と比較して小さくすることが出来る。すなわち額縁を小さくすることが出来る。図６においては、シールド線６０は、最外側のドライバ線Ｄ３を覆うのみでなく、その内側のドライバ線１０をも覆っている。最外側よりも内側のドライバ線１０とＢスイッチ線３０との干渉を防止するためである。
【００７９】
本実施例においては、ドライバ線１０、シールド線６０、ＲＧＢ切り替えスイッチ線とを別層に形成することによって、ドライバ線１０とＲＧＢ切り替えスイッチ線とを平面的には重複した位置に配線することが出来る。すなわち、シールド線６０が間に存在することによって、ドライバ線１０とＲＧＢ切り替えスイッチ線との干渉を防止することが出来るからである。
【００８０】
一方、本実施例での問題点は、シールド線６０およびＲＧＢ切り替えスイッチ線を別層で形成するために、プロセス数が増加するということである。しかし、本実施例は、額縁を非常に小さくし、かつ、ドライバ線１０とＲＧＢ切り替えスイッチ線との干渉を防止するためには有力な手段である。
【００８１】
尚、本実施例の場合も、ＲＧＢ切り替えスイッチ線の配置によっては、Ｇスイッチ線４０あるいはＲスイッチ線５０がドライバ線１０に最も近くなる。この場合も、Ｇスイッチ線４０あるいはＲスイッチ線５０に対して、本発明を適用すればよい。
【００８２】
また、実施例２においてシールド線を追加した場合にも、本実施例の構造を適用することが可能である。
【００８３】
さらに、本発明は、本発明の技術思想を逸脱しない範囲で様々な変更が可能である。例えば、実施例１〜３においては、ＲＧＢの画素を用いた例を示しているが、Ｗ（白）を追加したＲＧＢＷの画素に対して本発明を適用しても良い。また、シアン、マゼンダ、イエローなど、ＲＧＢ以外の色の画素に対して適用しても良い。また、ドライバ線１０からドレイン線１１への分岐数は、３である場合を例に説明しているが、分岐数は２以上であれば本発明を適用可能である。また、走査信号駆動回路４００と映像信号駆動回路３００とを１チップ化した駆動回路を用いても良い。
【図面の簡単な説明】
【００８４】
【図１】実施例１の表示装置の回路図である。
【図２】図１のＡ−Ａ'断面図である。
【図３】液晶表示装置の断面図である。
【図４】有機ＥＬ表示装置の断面図である。
【図５】実施例２の表示装置の回路図である。
【図６】実施例３の断面図である。
【図７】従来例の表示装置の回路図である。
【図８】図８のＡ−Ａ'断面図である。
【符号の説明】
【００８５】
１０…ドライバ線、  １１…ドレイン線、  ２０…走査線、  ３０…Ｂスイッチ線、  ３１…Ｂスイッチ、  ４０…Ｇスイッチ線、  ４１…Ｇスイッチ、  ５０…Ｒスイッチ線、５１…Ｒスイッチ、  ６０…シールド線、  １００…ＴＦＴ基板、  １０１…第１下地膜、  １０２…第２下地膜、  １０３…半導体膜、  １０４…ゲート絶縁膜、  １０５…ゲート電極、  １０６…層間絶縁膜、  １０７…ドレイン電極、  １０８…ソース電極、  １０９…無機パッシベーション膜、  １１０…平坦化膜、  １１１…画素電極、  １１２…配向膜、  １１３…液晶層、  １２０…下部電極、  １２１…有機ＥＬ層、  １２２…上部電極、  １３０…封止基板、  ２００…対向基板、  ２０１…カラーフィルタ、  ２０２…遮光膜、  ２０３…オーバーコート膜、  ２０４…対向電極、  ３００…映像信号駆動回路、  ４００…走査信号駆動回路、  ５００…表示領域、  １０３１…ソース領域、  １０３２…ドレイン領域、  １１３３…ＬＤＤ領域、  １０９１…第１無機パッシベーション膜、  １０９２…第２無機パッシベーション膜、  １０９３…第３無機パッシベーション膜。
【図１】
2009222764.tif 000003
【図２】
2009222764.tif 000004
【図３】
2009222764.tif 000005
【図４】
2009222764.tif 000006
【図５】
2009222764.tif 000007
【図６】
2009222764.tif 000008
【図７】
2009222764.tif 000009
【図８】
2009222764.tif 000010